(57)【要約】      （修正有）【課題】折り曲げ可能な一枚の可撓性のシート材から組立て可能で、布タオルを内部に所定枚数収納し、取出口から当該布タオルを一枚ずつ外部に取出せるタオルディスペンサーを提供する。【解決手段】折り曲げ可能な一枚の可撓性のシート材から組み立てられ、複数枚の布タオル２０１を積層して収容する収容部と、前記収容部から外部へ布タオルを取り出すための取出口４３と、を有するタオルディスペンサー１であって、タオルディスペンサー内部に積層して収納される布タオルに対して下方に常時押圧する力が加えられ、取出口から布タオルを一枚ずつ容易に取り出せる構造を有する。【選択図】図１
0003207775.tif 000002
【実用新案登録請求の範囲】
【請求項１】
折り曲げ可能な一枚の可撓性のシート材から組み立てられ、複数枚の布タオルを積層して収容する収容部と、前記収容部から外部へ前記布タオルを取り出すための取出口と、を有するタオルディスペンサーであって、
前記シート材は、正面板と、第一側面板と、第二側面板と、裏面板と、天面板と、第一天フラップと、第二天フラップと、第一底面板と、第二底面板と、第一底フラップと、第二底フラップと、を具備し、
前記天面板は、前記正面板から延在し、かつ天面差し込みしろを具備し、
前記第一底面板は、前記天面板から延在し、かつ略先端部に第一切欠きを備える第一底面差し込みしろを具備し、
前記第二底面板は、前記裏面板から延在し、かつ略先端部に第二切欠きを備える第二底面差し込みしろを具備し、
前記第一底フラップは、前記第一側面板から延在し、かつ先端及び後端の双方に略同寸法の第一立上面を備え、更に略先端部に第三切欠きを具備し、
前記第二底フラップは、前記第二側面板から延在し、かつ先端及び後端の双方に略同寸法の第二立上面を備え、更に略先端部に第四切欠きを具備し、
前記取出口は、前記正面板の下端から所定の高さ位置に設けられていること、
を特徴とするタオルディスペンサー。
【請求項２】
組立後において、前記第一底フラップ及び第二底フラップの高さと、前記取出口の下端までの高さと、が略同寸法であること、
を特徴とする請求項１に記載のタオルディスペンサー。
【請求項３】
前記第一天フラップ及び第二天フラップが少なくとも一本以上の折り目を有すること、
を特徴とする請求項１又は２に記載のタオルディスペンサー。
【考案の詳細な説明】
【技術分野】
【０００１】
本考案は、タオルを内部に所定枚数収納し、取出口から一枚ずつ外部に取出せるタオルディスペンサーに関する。
【背景技術】
【０００２】
タオルは人間の一般的な生活において欠かすことのできない日用品であり、少なくとも毎日一枚以上のタオルを使用している。当該タオルは、キッチン、パウダールーム、バスルーム、トイレ等、水を使用する様々な場所で使用されることから、当該各所にキャビネット等におけるタオルの収納場所が設けられているケースが多い。
【０００３】
上記キャビネット等は、収納の観点からは非常に利便性の高いものであるが、そこから取り出して使用するという面に関しては大きなメリットがなく、むしろ収納して重ねたタオルを常時上から順に取り出して使用するため、上方に位置するタオルと、下方に位置するタオルと、で使用される頻度に差が生じていた。
【０００４】
このため、従来では内部に複数のローラーを備え、該ローラーに長尺のハンドタオルを巻きつけて回転させることで循環可能なハンドタオルディスペンサー（特許文献１参照）等が一部で用いられている。
【先行技術文献】
【特許文献】
【０００５】
【特許文献１】特表２００３−５０３１３１号公報
【考案の概要】
【考案が解決しようとする課題】
【０００６】
しかしながら、上記特許文献１で開示されているハンドタオルディスペンサーは、吸水性の低い薄型のハンドタオルを使用するものであって、一般的に用いられている起毛性を有する布タオルを使用することが出来ない。このため、一部のパウダールーム及びトイレには適するものの、バスルームやキッチンには不向きであった。また、専用となる長尺のタオルは一般の家庭で洗濯及び乾燥を容易に行うことができず、更に本体が備える複数のローラーにタオルを当接させつつ収納する必要があり、取り扱いも困難だった。
【０００７】
ここで、使用対象のタオルと、該タオルを収納する本体の構造と、に着目すると、専用のタオルを別途用意しなければならず、該専用のタオルに合わせて本体の構造も複雑に構成されており、一般家庭での使用には不適切であることは明らかであって、未だ改善の余地があった。
【０００８】
そこで、本考案は、上記問題に鑑みて、折り曲げ可能な一枚の可撓性のシート材から組立て可能で、布タオルを内部に所定枚数収納し、取出口から当該布タオルを一枚ずつ外部に容易かつ確実に取出せるタオルディスペンサーを提供することを目的とする。
【課題を解決するための手段】
【０００９】
上記課題を解決すべく、本考案は、
折り曲げ可能な一枚の可撓性のシート材から組み立てられ、複数枚の布タオルを積層して収容する収容部と、前記収容部から外部へ前記布タオルを取り出すための取出口と、を有するタオルディスペンサーであって、
前記シート材は、正面板と、第一側面板と、第二側面板と、裏面板と、天面板と、第一天フラップと、第二天フラップと、第一底面板と、第二底面板と、第一底フラップと、第二底フラップと、を具備し、
前記天面板は、前記正面板から延在し、かつ天面差し込みしろを具備し、
前記第一底面板は、前記天面板から延在し、かつ略先端部に第一切欠きを備える第一底面差し込みしろを具備し、
前記第二底面板は、前記裏面板から延在し、かつ略先端部に第二切欠きを備える第二底面差し込みしろを具備し、
前記第一底フラップは、前記第一側面板から延在し、かつ先端及び後端の双方に略同寸法の第一立上面を備え、更に略先端部に第三切欠きを具備し、
前記第二底フラップは、前記第二側面板から延在し、かつ先端及び後端の双方に略同寸法の第二立上面を備え、更に略先端部に第四切欠きを具備し、
前記取出口は、前記正面板の下端から所定の高さ位置に設けられていること、
を特徴とするタオルディスペンサーを提供する。
【００１０】
このような構成を有する本考案のタオルディスペンサーによれば、折り曲げ可能な一枚の可撓性のシート材を用いて、内部に積層した複数枚の布タオルを収納可能で、該布タオルを取出口から一枚ずつ外部に取り出すことができる略立方体の箱を形成することができる。また、底面側は、第一底フラップ及び第二底フラップと、第一底面板及び第二底面板と、を交差させつつ、双方の切欠き（第一底フラップの第三切欠き及び第二底フラップの第四切欠きと、第一底面板の第一切欠き及び第二底面板の第二切欠き）を略直交させて嵌合させるため、底面側の強度を好適に向上させつつ全体の剛性も高めることができる。
【００１１】
また、上記のような構成を有する本考案のタオルディスペンサーにおいては、
組立後において、前記第一底フラップ及び第二底フラップの高さと、前記取出口の下端までの高さと、が略同寸法であることが望ましい。
【００１２】
このような構成を有する本考案のタオルディスペンサーによれば、第一天フラップ及び第二天フラップに当接した布タオルを、取出口からスムーズに外部側へ取り出すことが出来る。
【００１３】
また、上記のような構成を有する本考案のタオルディスペンサーにおいては更に、
前記第一天フラップ及び第二天フラップが少なくとも一本以上の折り目を有することが望ましい。
【００１４】
このような構成を有する本考案のタオルディスペンサーによれば、第一天フラップ及び第二天フラップの先端を本考案のタオルディスペンサー内部に収納した布タオルの上端に当接させ、下方に常時押圧する力を加えることができる。例えば内部の布タオルが少量になった場合でも、内部の側面等にひっかかることを防止し、該布タオルを第一底フラップ及び第二底フラップに押し当てて取出口近傍に配置させることができる。
【考案の効果】
【００１５】
本考案のタオルディスペンサーによれば、折り曲げ可能な一枚の可撓性のシート材から組立て可能で、布タオルを内部に所定枚数収納し、取出口から当該布タオルを一枚ずつ外部に容易かつ確実に取出せる。
【図面の簡単な説明】
【００１６】
【図１】本実施形態におけるタオルディスペンサー１の概要を示す模式図である。
【図２】本実施形態におけるタオルディスペンサー１を展開した状態を示す展開図である。
【図３】本実施形態におけるタオルディスペンサー１の正面図である。
【図４】本実施形態におけるタオルディスペンサー１の側面図である。
【図５】本実施形態におけるタオルディスペンサー１の見下図である。
【図６】本実施形態におけるタオルディスペンサー１の見上図である。
【図７】図３に示す矢視Ａの断面図である。
【図８】図４に示す矢視Ｂの断面図である。
【図９】図２に示す第一底面板１９及び第二底面板２５を開いた状態における本実施形態におけるタオルディスペンサー１の見上図である。
【図１０】第一天フラップ１５及び第二天フラップ１７の作用を示す模式図である。
【図１１】本実施形態におけるタオリディスペンサー１の使用法を説明する図であって、図１１（ａ）は、本実施形態のタオルディスペンサー１の天面側を開ける手順を示す模式図であって、図１１（ｂ）は、本実施形態のタオルディスペンサー１の内部に布タオル２０１を収納し、天面側を閉鎖する手順を示す模式図であって、図１（ｃ）は、本実施形態のタオルディスペンサー１内部から布タオル２０１を取り出す手順を示す模式図である。
【考案を実施するための形態】
【００１７】
以下、本考案の一実施形態に係るタオルディスペンサー１について、図１〜図１１を参照しながら詳細に説明する。但し、本考案は図示されるものに限られず、また、各図面は本実施形態を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１８】
１．タオルディスペンサー１の概要
図１を用いて本実施形態におけるタオルディスペンサー１の概要について説明する。図１は、本実施形態におけるタオルディスペンサー１の概要を示す模式図である。本実施形態のタオルディスペンサー１は、ダンボール紙（波状に加工した紙を表裏の紙で挟んで多層にし、強靭及び強度を持たせたもの）を用いて構成された略立方体の箱であって、一般的に使用される布タオル２０１等を内部に所定数収納し、当該布タオル２０１を取出口４３から一枚ずつ内部から取出すことが可能で、使用者の利便性を向上するものである。内部に収納可能な布タオル２０１の枚数は、例えば一日一枚の使用を想定し、一週間分すなわち七枚の収納を可能にする等、生活の区切りに合わせたものが好ましい。
【００１９】
２．タオルディスペンサー１の構造
＜部品構成＞
次に、図２を用いて本実施形態におけるタオルディスペンサー１の構造について詳細に説明する。図２は、本実施形態におけるタオルディスペンサー１を展開した状態を示す展開図である。本実施形態におけるタオルディスペンサー１は、上述のとおりダンボール紙で構成されており、図２に示す展開状態から組み立てて構成されている。
【００２０】
本実施形態のタオルディスペンサー１は、概ね本タオルディスペンサー１の本体正面に位置する正面板３と、該正面板３を正面視した状態で左側に位置する第一側面板５と、該正面板３を正面視した状態で右側に位置する第二側面板７と、正面板３の裏側に配置される裏面板９と、正面板３の上方側に繋がって本タオルディスペンサー１の天面に位置する天面板１１と、第一側面板５及び第二側面板７の上方側に繋がって天面板１１の内側（本タオルディスペンサー１内部）に配置される第一天フラップ１５及び第二天フラップ１７と、第一側面板５及び第二側面板７の下方側に繋がって本タオルディスペンサー１の底面に配置される第一底面板１９及び第二底面板２５と、第一側面板５及び第二側面板７の下方側に繋がって第一底面板１９及び第二底面板２５の内側に配置される第一底フラップ３１及び第二底フラップ３７と、本タオルディスペンサー１内部に収納した布タオル２０１を外部に取り出すための開口となる取出口４３と、から構成されている。
【００２１】
勿論、本実施形態で説明する展開状態は１例であり、各部品の位置が異なる等差異があっても、組立時に本タオルディスペンサー１の形状を構成可能であれば問題はない。なお、上記各部品が具備する小さい部品及び加工は後述する。
【００２２】
＜正面板３、第一側面板５、第二側面板７、裏面板９＞
続いて、図２〜図４を参照しつつ正面板３と、第一側面板５と、第二側面板７と、裏面板９と、の配置について詳細に説明する。図３は、本実施形態におけるタオルディスペンサー１の正面図であり、図４は、本実施形態におけるタオルディスペンサー１の側面図である。正面板３と、第一側面板５と、第二側面板７と、裏面板９と、はそれぞれの接続部を外部側に山折りし、第二側面板７と、裏面板９と、を接着して接続している。当該接着には専用の接着しろ４５等を第二側面板７又は裏面板９に設けて行うことが好ましい。
【００２３】
本タオルディスペンサー１の所定の位置（本実施形態では下方側）には取出口４３が備わっており、本実施形態のタオルディスペンサー１内部に収納した布タオル２０１を外部に取出すことができる。当該取出口４３は、所定の開口高さ及び開口幅で形成されており、正面板３と、第一側面板５及び第二側面板７の一部と、に渡って備えられることが好ましい。なお、本実施形態では左右の端部（第一側面板５と、第二側面板７と、に配置された部分）は円弧形状となっており、当該形状によって布タオル２０１が端部に引っかかることを防止可能で、内部の布タオル２０１をよりスムーズに取出すことができる。
【００２４】
＜天面側の構造＞
次に、図２と、図５〜図１０と、を参照しつつ本実施形態におけるタオルディスペンサー１の天面側及び底面側の構造について詳細に説明する。図５は、本実施形態におけるタオルディスペンサー１の見下図であり、図６は、本実施形態におけるタオルディスペンサー１の見上図であり、図７は、図３に示す矢視Ａの断面図であり、図８は、図４に示す矢視Ｂの断面図であり、図９は、第一底面板１９及び第二底面板２５を開いた状態における本実施形態におけるタオルディスペンサー１の見上図であり、図１０は、第一天フラップ１５及び第二天フラップ１７の作用を示す模式図である。上述のとおり、本タオルディスペンサー１の天面側は、天面板１１と、第一フラップ１５と、第二フラップ１７と、から構成されている。
【００２５】
第一天フラップ１５は、第一側面板５の上方側に繋がっており、双方の接続部を外部側に山折りして天面側から内部に配置されている。また、第二天フラップ１７も同様に、第二側面板７の上方側に繋がっており、双方の接続部を外部側に山折りして天面側から内部に配置されている。当該第一天フラップ１５及び第二天フラップ１７は、略四角形の板であって、所定の位置に第一側面板５及び第二側面板７と略平行の折り目４７がそれぞれ２本設けられており、当該折り目４７を用いて所定の角度に折り曲げられている（特に図８参照）。
【００２６】
天面板１１は、正面板３の上方側に繋がっており、双方の接続部を外部側に山折りして第一天フラップ１５及び第二天フラップ１７を押圧しつつ天面側を閉鎖している。当該天面板３は、先端側に組立てを補助する天面差込みしろ１３を備えており、当該天面差込みしろ１３を接続部で内部側に折り曲げ、裏面板９の内側に当接させつつ内側に差し込むことで天面板１１を固定することができる。
【００２７】
また、図１０に示すとおり、天面板１１で押圧しつつ配置した第一天フラップ１５及び第二天フラップ１７により、本実施形態のタオルディスペンサー１内部に収納した布タオル２０１を下方に常時押圧する力が加えられ、例えば内部の布タオル２０１が少量になった場合でも、該布タオル２０１が内部の側面等とひっかかることを防止し、第一底フラップ３１及び第二底フラップ３７に押し当てて取出口４３近傍に配置させることができる。
【００２８】
＜底面側の構造＞
上述のとおり、本実施形態におけるタオルディスペンサー１の底面側は、第一底面板１９と、第二底面板２５と、第一底フラップ３１と、第二底フラップ３７と、から構成されている。第一底フラップ３１は、第一側面板５の下方側に繋がっており、双方の接続部を外部側に山折りして底面側から内部に配置されている。また、第二底フラップ３７も同様に、第二側面板７の下方側に繋がっており、双方の接続部を表面側に山折して底面側から内部に配置されている。
【００２９】
当該第一底フラップ３１及び第二底フラップ３７は、略四角形の板であって、所定の位置に第一側面板５及び第二側面板７と略平行の折り目４９がそれぞれ２本設けられており、当該折り目４９を用いて所定の角度に折り曲げられている。より具体的には、第一側面板５及び第二側面板７の接続側と、先端側と、をそれぞれ内部側に谷折りし、第一底フラップ３１及び第二底フラップ３７を天面側に嵩上するための第一立上面３３（第一底フラップ３１が備える接続側及び先端側の二面）及び第二立上面３９（第二底フラップ３７が備える接続側及び先端側の二面）が形成されている。なお、第一底フラップ３１及び第二底フラップ３７は、上記嵩上によって正面板３に設けられた取出口４３の下端と同じ高さとなるよう構成することが望ましい。
【００３０】
当該第一立上面３３及び第二立上面３９により、第一底フラップ３１及び第二底フラップ３７を嵩上しつつ天面板１１と略平行に配置して組立てられる。また、第一立上面３３及び第二立上面３９は第一底面板１９及び第二底面板２５に対し略鉛直に当接することになる（特に図７及び図８参照）。
【００３１】
更に、第一底フラップ３１は、先端側（第一立上面３３の先端）の略中央に第三切欠き３５を備え、同様に第二底フラップ３７は先端側（第二立上面３９の先端）の略中央に第四切欠き４１を備えており、後述する第一切欠き２３及び第二切欠き２９と嵌合させることで、組立時の底面側を強固に構成している。当該第三切欠き３５及び第四切欠き４１は、少なくとも本実施形態のタオルディスペンサー１を構成するダンボール紙を２枚重ねた板厚と同寸法以上の幅を備えていることが望ましく、組立時には形状を合わせて重なる（特に図８参照）。
【００３２】
第一底面板１９及び第二底面板２５は、双方を一組にして底面板全体を構成しており、それぞれ接続部（第一底面板１９は正面板３の下方側に繋がり、第二底面板２５は裏面板９の下方側に繋がっている）を外部側に山折りして底面側を閉鎖している。当該第一底面板１９及び第二底面板２５は略同形状であり、先端側に組立てを補助する第一底面差込みしろ２１及び第二底面差込みしろ２７を備えている。
【００３３】
更に第一底面差込みしろ２１は、先端側の略中央に第一切欠き２３を備え、同様に第二底面差込みしろ２７は、先端側の略中央に第二切欠き２９を備えており、当該第一切欠き２３及び第二切欠き２９は、上述した第三切欠き３５及び第四切欠き４１と嵌合可能に構成されている。なお、当該第一切欠き２３及び第二切欠き２９は、少なくとも本実施形態のタオルディスペンサー１を構成するダンボール紙を２枚重ねた板厚と同寸法以上の幅を備えていることが望ましく、組立時には形状を合わせて重なる（特に図７参照）。
【００３４】
第一底面板１９及び第二底面板２５は、正面板３及び裏面板９との接続部で外部側に山折りしつつ、第一底面差込みしろ２１及び第二底面差込みしろ２７を内部側に折り曲げ、更に第一切欠き２３及び第二切欠き２９を第三切欠き３５及び第四切欠き４１と略直交に嵌合させつつ内部に挿入する（特に図９参照）。これにより、底面側の強度を好適に向上させ、全体の剛性も高めることができる。
【００３５】
上述により、各部品の構成及び組立てについて詳細に説明したが、当該部品の構成や配置、組立て方法等はあくまで一例であって、組立時に略同様の形状及び機能を備えていれば、他の部品構成や配置、組立て方法を備えるものであってもよい。
【００３６】
３．タオルディスペンサー１の使用方法
次に、図１１（ａ）（ｂ）（ｃ）を用いて本実施形態におけるタオルディスペンサー１の使用方法について説明する。図１１（ａ）（ｂ）（ｃ）は、本実施形態におけるタオリディスペンサー１の使用法を説明する図であって、図１１（ａ）は、本実施形態のタオルディスペンサー１の天面側を開ける手順を示す模式図であって、図１１（ｂ）は、本実施形態のタオルディスペンサー１の内部に布タオル２０１を収納し、天面側を閉鎖する手順を示す模式図であって、図１（ｃ）は、本実施形態のタオルディスペンサー１内部から布タオル２０１を取り出す手順を示す模式図である。
【００３７】
図１１（ａ）に示すとおり、まず使用者は本タオルディスペンサー１内部に布タオル２０１を収納する。天面体３が備えた天面差込みしろ１３を内部から抜去し、当該天面板３を外部側に開いた後、更に第一天フラップ１５及び第二天フラップ１７を外部側に開いて天面側に本タオルディスペンサー１内部に布タオル２０１を挿入するための開口を準備する。
【００３８】
次に、図１１（ｂ）に示すとおり、所定枚数の布タオル２０１を縦に積層させ（各布タオル２０１は本タオルディスペンサー１内部の平面形状に合わせて折り畳む）、本タオルディスペンサー１内部に挿入して収納する。この時、布タオル２０１間に薄く表面が滑らかな紙等（図示せず）を挟むことで、該布タオル２０１を容易に一枚ずつ取出すことができる。
【００３９】
当該布タオル２０１の積層が崩れることなく本タオルディスペンサー１内部に収納されたことを確認した後、第一天フラップ１５及び第二天フラップ１７を折り目４７で折り曲げて内部に配置し、更に天面板１１で第一天フラップ１５及び第二天フラップ１７を上部から押圧しつつ天面差込みしろ１３を内部に挿入して固定する。上記手順の完了により、本タオルディスペンサー１の使用準備が完了し、使用可能な状態となる。
【００４０】
続いて、図１１（ｃ）に示すとおり、使用者は任意のタイミングで正面板３に備えられた取出口４３から本タオルディスペンサー１内部の布タオル２０１を把持し、該布タオル２０１を外部側に抜去することで取り出すことができる。本タオルディスペンサー１により、使用時に必要なだけ布タオル２０１を収納された状態から取り出して使用することができ、更に状況に応じて天面側から布タオル２０１を追加することで、例えば洗濯時期の古いものから順に使用することができる。
【００４１】
以上、本考案の代表的な実施形態について図面を参照しつつ説明してきたが、本実施形態は、これらの実施形態に限定されるものではなく、実用新案登録請求の記載の精神及び教示を含みつつその他の改良や変形が可能であり、改良した態様や変形した態様は全て本実施形態の技術的範囲に含まれる。
【産業上の利用可能性】
【００４２】
本考案のタオルディスペンサー１は、折り曲げ可能な一枚の可撓性のシート材から組立て可能で、布タオルを内部に所定枚数収納し、取出口から当該布タオルを一枚ずつ外部に取出せるものである。
【符号の説明】
【００４３】
１      タオルディスペンサー
３      正面板
５      第一側面板
７      第二側面板
９      裏面板
１１    天面板
１３    天面差込みしろ
１５    第一天フラップ
１７    第二天フラップ
１９    第一底面板
２１    第一底面差込みしろ
２３    第一切欠き
２５    第二底面板
２７    第二底面差込みしろ
２９    第二切欠き
３１    第一底フラップ
３３    第一立上面
３５    第三切欠き
３７    第二底フラップ
３９    第二立上面
４１    第四切欠き
４３    取出口
４５    接着しろ
４７    折り目
４９    折り目
２０１  布タオル
【図１１】
0003207775.tif 000003
【図１】
0003207775.tif 000004
【図２】
0003207775.tif 000005
【図３】
0003207775.tif 000006
【図４】
0003207775.tif 000007
【図５】
0003207775.tif 000008
【図６】
0003207775.tif 000009
【図７】
0003207775.tif 000010
【図８】
0003207775.tif 000011
【図９】
0003207775.tif 000012
【図１０】
0003207775.tif 000013